(57)【特許請求の範囲】
【請求項１】
キャリア・アグリゲーションの方法であって、
接続が確立された移動端末が、基地局から送信される、ダウンリンク・キャリア・アグリゲーションの対象キャリアとするキャリア識別子と前記対象キャリアの無線リソースの配置情報とを含むキャリア・アグリゲーション制御情報を受信するステップと；
前記移動端末が、前記キャリア識別子と前記無線リソースの配置情報とに基づき、対象キャリアを確定するステップと；
前記基地局が、前記移動端末に、前記対象キャリアのキャリア識別子を含むキャリア・アグリゲーションの解除指示情報を送信するステップと、
前記移動端末が、前記キャリア・アグリゲーションの解除指示情報を受信した後、前記対象キャリアのダウンリンク制御チャンネルに対するモニタリングを停止するステップと含み、
前記対象キャリアの無線リソースの配置情報が変更された場合、前記基地局が、変更後の無線リソースの配置情報を前記移動端末に通知するステップと、
前記移動端末が、前記キャリア識別子と変更後の無線リソースの配置情報とに基づき、前記対象キャリアのダウンリンク制御チャンネルをモニタリングするステップとをさらに含むことを特徴とするキャリア・アグリゲーションの方法。
【請求項２】
前記対象キャリアのダウンリンク制御チャンネルをモニタリングし、自端末のセル・無線ネットワーク一時識別子Ｃ−ＲＮＴＩに対するダウンリンク制御情報を解析し、さらに、解析された前記Ｃ−ＲＮＴＩのダウンリンク制御情報に基づき、自端末へ送信されたダウンリンクデータをダウンリンク共有チャンネルから基地局から取得するステップをさらに含むことを特徴とする請求項１に記載のキャリア・アグリゲーションの方法。
【請求項３】
前記対象キャリアのダウンリンク制御チャンネルをモニタリングすることが、
前記移動端末が前記キャリア・アグリゲーション制御情報にさらに含まれるモニタリング開始の指示情報を解析し、前記モニタリング開始の指示情報に基づき、モニタリング開始のタイミングになったと確定した際に、前記対象キャリアのダウンリンク制御チャンネルに対するモニタリングを起動することを確定するステップ、
または、前記移動端末が、前記キャリア・アグリゲーション制御情報を受信した後、前記基地局との間で事前に設定されたモニタリング時間間隔に至ったと確定した際に、前記対象キャリアのダウンリンク制御チャンネルのモニタリングを起動することを確定するステップを含むことを特徴とする請求項２に記載のキャリア・アグリゲーションの方法。
【請求項４】
前記キャリア・アグリゲーション制御情報が、無線リソース制御シグナリングに載せられることを特徴とする請求項１乃至請求項３のいずれか１つに記載のキャリア・アグリゲーションの方法。
【請求項５】
前記キャリア・アグリゲーションの解除指示情報が、無線リソース制御シグナリングに載せられることを特徴とする請求項１に記載のキャリア・アグリゲーションの方法。
【請求項６】
基地局であって、前記基地局はキャリア・アグリゲーション機能手段と、スケジューリング手段とを備え、
前記キャリア・アグリゲーション機能手段は、
接続が確立された移動端末に、ダウンリンクキャリア・アグリゲーションの対象キャリアとするキャリア識別子と対象キャリアの無線リソースの配置情報とを含むキャリア・アグリゲーション制御情報を送信し、
前記対象キャリアの無線リソースの配置情報が変更された場合、変更後の無線リソースの配置情報を前記移動端末に通知し、
前記対象キャリアのダウンリンク制御チャンネルに対するモニタリングを停止することを前記移動端末に指示するため、前記対象キャリアのキャリア識別子を含むキャリア・アグリゲーションの解除指示情報を前記移動端末に送信し、さらに、キャリア・アグリゲーションの解除通知を前記スケジューリング手段に送信し、
前記スケジューリング手段は、
前記対象キャリアのダウンリンク制御チャンネルに、前記移動端末のセル・無線ネットワーク一時識別子Ｃ−ＲＮＴＩのダウンリンク制御情報を載せ、さらに、ダウンリンク共有チャンネルに前記移動端末に送信されるダウンリンクデータを載せ、
前記キャリア・アグリゲーション機能手段から送信される前記キャリア・アグリゲーションの解除通知を受信し、前記対象キャリアのダウンリンク制御チャンネルに前記移動端末のＣ−ＲＮＴＩのダウンリンク制御情報を載せることを停止することを特徴とする基地局。
【請求項７】
基地局と接続を確立するための接続確立手段を備える移動端末であって、
前記移動端末は、受信手段と、キャリア・アグリゲーション手段とを備え、
前記受信手段は、
基地局から送信される、ダウンリンクキャリア・アグリゲーションの対象キャリアとするキャリア識別子と前記対象キャリアの無線リソースの配置情報とを含むキャリア・アグリゲーション制御情報を受信し、
基地局から送信される、前記対象キャリアが変更された後の無線リソースの配置情報を受信し、前記キャリア・アグリゲーション手段に転送し、
前記基地局から送信される、前記対象キャリアのキャリア識別子を含むキャリア・アグリゲーションの解除指示情報を受信し、前記キャリア・アグリゲーション手段に転送し、
前記キャリア・アグリゲーション手段は、
前記キャリア識別子と前記無線リソースの配置情報とに基づき、対象キャリアを確定し；
前記対象キャリアのダウンリンク制御チャンネルをモニタリングし、自端末のセル−無線ネットワーク一時識別子Ｃ−ＲＮＴＩに対するダウンリンク制御情報を解析し、さらに、解析された前記Ｃ−ＲＮＴＩのダウンリンク制御情報に基づき、基地局から自端末へ送信されるダウンリンクデータをダウンリンク共有チャンネルから取得し、
前記キャリア識別子と変更後の無線リソースの配置情報とに基づき、前記対象キャリアのダウンリンク制御チャンネルをモニタリングし、
前記キャリア・アグリゲーションの解除指示情報を受信した後、前記対象キャリアのダウンリンク制御チャンネルのモニタリングを停止することを特徴とする移動端末。
【請求項８】
基地局と移動端末とを備えるキャリア・アグリゲーションのシステムであって、
前記基地局が、
接続が確立された移動端末に、ダウンリンクキャリア・アグリゲーションの対象キャリアとするキャリア識別子と前記対象キャリアの無線リソースの配置情報とを含むキャリア・アグリゲーション制御情報を送信し、
前記対象キャリアのダウンリンク制御チャンネルに、前記移動端末のセル・無線ネットワーク一時識別子Ｃ−ＲＮＴＩのダウンリンク制御情報を載せ、さらに、ダウンリンク共有チャンネルに前記移動端末に送信するダウンリンクデータを載せ、
前記移動端末に、前記対象キャリアのキャリア識別子を含むキャリア・アグリゲーションの解除指示情報を送信し、
前記対象キャリアの無線リソースの配置情報が変更された場合、前記基地局が、変更後の無線リソースの配置情報を前記移動端末に通知し、
前記移動端末が、
基地局から送信されるキャリア・アグリゲーション制御情報を受信し、前記キャリア識別子と前記無線リソースの配置情報とに基づき対象キャリアを確定し、
前記対象キャリアのダウンリンク制御チャンネルをモニタリングし、自端末のＣ−ＲＮＴＩに対するダウンリンク制御情報を解析し、さらに、解析された前記Ｃ−ＲＮＴＩのダウンリンク制御情報に基づき、前記基地局から自端末へ送信されるダウンリンクデータを前記ダウンリンク共有チャンネルから取得し、
前記キャリア・アグリゲーションの解除指示情報を受信した後、前記対象キャリアのダウンリンク制御チャンネルに対するモニタリングを停止し、
前記キャリア識別子と変更後の無線リソースの配置情報とに基づき、前記対象キャリアのダウンリンク制御チャンネルをモニタリングすることを特徴とする基地局と移動端末とを含むキャリア・アグリゲーションのシステム。
【発明の詳細な説明】
【技術分野】
【０００１】
本発明は無線通信領域に関し、キャリア・アグリゲーションの方法、基地局、移動端末およびキャリア・アグリゲーションのシステムに関する。
【背景技術】
【０００２】
３ＧＰＰ長期進化技術（Ｌｏｎｇ  Ｔｅｒｍ  Ｅｖｏｌｕｔｉｏｎ，ＬＴＥ）のアップグレートされた後継バージョンはＬＴＥ−Ａｄｖａｎｃｅｄ（ＬＴＥ−Ａと略称する）と言われ、多くの新しい技術が取り入れられた。
そのうち、キャリア・アグリゲーション（ｃａｒｒｉｅｒ  ａｇｇｒｅｇａｔｉｏｎ）も通信の広帯域化に対応する一つの重要な技術として導入されている。
キャリア・アグリゲーションの基本原理は、少なくとも２つのキャリアを束ね、広帯域化の要求を満足することである。
キャリア・アグリゲーション技術を導入した後に、１セル内のキャリア数は１つから複数になり、マルチキャリアの通信シナリオが形成される。
３ＧＰＰのＲＡＮ１＃５７ｂｉｓ会議では、これらのキャリアを後方互換キャリアと、ＬＴＥ−Ａ専用キャリアと、セカンダリーキャリアとの３種類に分けられた。
１．後方互換キャリア：ＬＴＥ  Ｒ８バージョンの端末とＬＴＥ−Ａ端末との両方ともアクセスできるキャリアであり、さらに、ＬＴＥ−Ａ端末がキャリア・アグリゲーションを行う際の１つのコンポーネントキャリアとして使用できるものである。
２．ＬＴＥ−Ａ専用キャリア：ＬＴＥ  Ｒ８端末がアクセスできず、ＬＴＥ−Ａ端末がアクセスできるキャリアであり、さらに、ＬＴＥ−Ａ端末がキャリア・アグリゲーションを行う際の１つのコンポーネントキャリアとして使用できるものである。
３．セカンダリーキャリア：ＬＴＥ  Ｒ８端末がアクセスできず、ＬＴＥ−Ａ端末が一定の条件でアクセスできるキャリアである。
セカンダリーキャリアにより端末がアクセスされる条件としては、端末は、既に後方互換キャリアまたはＬＴＥ−Ａ専用キャリアにより通信接続を確立し、キャリア・アグリゲーションを行う場合のみ、予備用のキャリアとしてセカンダリーキャリアを利用する。
即ち、このセカンダリーキャリアは、２つ以上のキャリアを介して通信が確立された端末のみに利用可能であり、端末の通信確立に一つのみが利用されるキャリアはセカンダリーキャリアである可能性がない。
【０００３】
現在、ＬＴＥ−Ａは、時分割復信（Ｔｉｍｅ  ｄｉｖｉｓｉｏｎ  ｄｕｐｌｅｘ，ＴＤＤ）と周波数分割復信（Ｆｒｅｑｕｅｎｃｙ  ｄｉｖｉｓｉｏｎ  ｄｕｐｌｅｘ，ＦＤＤ）との２種類のモードに分けられる。
それに応じ、ＴＤＤモードでの移動端末をＴＤＤ端末といい、ＦＤＤモードでの移動端末をＦＤＤ端末という。
そして、ＴＤＤモードに適用されるキャリアをＴＤＤキャリアといい、ＦＤＤモードに適用されるキャリアをＦＤＤキャリアという。
【発明の概要】
【発明が解決しようとする課題】
【０００４】
従来技術では、キャリア・アグリゲーションの実現について現在のところ成熟した技術案がまだいない。
業界ではＴＤＤ端末でＴＤＤキャリアを束ね、ＦＤＤ端末でＦＤＤキャリアを束ねるキャリア・アグリゲーション方式が提案されているが、具体的な実施案がまだ確立されていないし、かつ、異なるモードのキャリア・アグリゲーション、即ち、ＴＤＤ端末でＦＤＤキャリアを束ね、ＦＤＤ端末でＴＤＤキャリアを束ねることがまだ実現されていない。
【課題を解決するための手段】
【０００５】
本発明に係る実施形態は、ＴＤＤ端末とＦＤＤ端末との両方ともＴＤＤキャリアとＦＤＤキャリアとを束ねることができるようにする、キャリア・アグリゲーションの方法、対応する基地局、移動端末、およびキャリア・アグリゲーションを実施するシステムを提供することを目的とする。
【０００６】
本発明の実施形態に係るキャリア・アグリゲーションの方法は、接続が確立された移動端末が、キャリア・アグリゲーション制御情報を受信し、前記キャリア・アグリゲーション制御情報が、基地局から送信される、ダウンリンク・キャリア・アグリゲーションの対象キャリアとするキャリアの識別子と前記対象キャリアの無線リソースの配置情報とを含むステップと、前記移動端末が前記キャリア識別子と前記無線リソースの配置情報とに基づき、対象キャリアを確定するステップとを含む。
【０００７】
本発明の実施形態に係る基地局は、接続が確立された移動端末に、キャリア・アグリゲーション制御情報を送信し、前記キャリア・アグリゲーション制御情報は、ダウンリンク・キャリア・アグリゲーションの対象キャリアとするキャリア識別子と前記対象キャリアの無線リソースの配置情報とを含むキャリア・アグリゲーション機能手段を有する。
【０００８】
本発明の実施形態に係る移動端末は、基地局と接続を確立するための接続確立手段を有し、さらに、基地局から送信される、ダウンリンク・キャリア・アグリゲーションの対象キャリアとするキャリア識別子と前記対象キャリアの無線リソースの配置情報とを含むキャリア・アグリゲーション制御情報を受信するための受信手段と、前記キャリア識別子と前記無線リソースの配置情報とに基づき、対象キャリアを確定するためのキャリア・アグリゲーション手段とを備える。
【０００９】
本発明の実施形態に係るキャリア・アグリゲーションのシステムは、基地局と移動端末とを備え、前記基地局は、接続が確立された移動端末に、キャリア・アグリゲーション制御情報を送信し、前記キャリア・アグリゲーション制御情報は、ダウンリンク・キャリア・アグリゲーションの対象キャリアとするキャリア識別子と前記対象キャリアの無線リソースの配置情報とを含み、前記移動端末は、基地局から送信されるキャリア・アグリゲーション制御情報を受信し、前記キャリア識別子と前記無線リソースの配置情報とに基づき、対象キャリアを確定する。
【発明の効果】
【００１０】
本発明において、基地局が、ダウンリンク・キャリア・アグリゲーションの対象キャリアとするキャリア識別子と対象キャリアの無線リソースの配置情報とを含むキャリア・アグリゲーション制御情報を移動端末に送信する（移動端末は、ＴＤＤ端末であってもよいし、ＦＤＤ端末であってもよい）。
移動端末は、キャリア識別子と無線リソースの配置情報とに基づき、対象キャリアを確定する（対象キャリアはＴＤＤキャリアであってもよいし、ＦＤＤキャリアであっても良い。
ＴＤＤキャリアおよびＦＤＤキャリアのいずれであっても、このキャリア自体のモードでデータを伝送する）。
上述方法によれば、対象キャリアのモード（即ち、ＴＤＤキャリアであるか或いはＦＤＤキャリアであるか）を区別する必要がなく、さらに、移動端末のモード（即ち、ＴＤＤ端末であるか或いはＦＤＤ端末であるか）を区別する必要もなく、同一モードにおけるキャリア・アグリゲーションおよび異なるモードにおけるキャリア・アグリゲーションを容易に実現することができる。
【図面の簡単な説明】
【００１１】
【図１】本発明の実施形態に係るキャリア・アグリゲーションの方法のフローチャートである。
【図２】本発明の実施形態に係る基地局の構造のイメージを示す図である。
【図３】本発明の実施形態に係る移動端末の構造のイメージを示す図である。
【発明を実施するための形態】
【００１２】
本発明の実施形態に係るキャリア・アグリゲーションの方法により、ＴＤＤ端末とＦＤＤ端末との両方ともＴＤＤキャリアとＦＤＤキャリアとを束ねることができるようになる。
【００１３】
以下は図面を参照して本発明の実施形態に係るキャリア・アグリゲーションの方法を詳しく記述する。
【００１４】
図１は本発明の実施形態に係るキャリア・アグリゲーションの方法のフローチャートを示した。
キャリア・アグリゲーションの方法は、ステップＳ１０１と、ステップＳ１０２と、ステップＳ１０３と、ステップＳ１０４とを含む。
ステップＳ１０１において、接続が確立された移動端末が、キャリア・アグリゲーション制御情報を受信する。
上記キャリア・アグリゲーション制御情報は、基地局から送信される、ダウンリンク・キャリア・アグリゲーションの対象キャリアとするキャリアの識別子と対象キャリアの無線リソースの配置情報とを含む。
ステップＳ１０２において、移動端末が受信されたキャリア識別子と無線リソースの配置情報とに基づき、対象キャリアを確定し、さらに、対象キャリアのダウンリンク制御チャンネルをモニタリングする。
ステップＳ１０３において、移動端末が、対象キャリアのダウンリンク制御チャンネルに載せられた、自端末のセル無線ネットワーク一時識別子（Ｃｅｌｌ−Ｒａｄｉｏ  Ｎｅｔｗｏｒｋ  Ｔｅｍｐｏｒａｒｙ  Ｉｄｅｎｔｉｆｉｅｒ，Ｃ−ＲＮＴＩ）に対するダウンリンク制御情報を解析する。
ステップＳ１０４において、移動端末が解析されたＣ−ＲＮＴＩのダウンリンク制御情報に基づき、基地局から自端末へ送信されるダウンリンクデータをダウンリンク共有チャンネルから取得する。
【００１５】
以下は上述各ステップを詳細に説明する。
【００１６】
ステップＳ１０１の前に、ＬＴＥ−Ａの移動端末は基地局と無線リソース制御（Ｒａｄｉｏ  Ｓｔａｔｉｏｎ  Ｃｏｎｔｒｏｌｌｅｒ，ＲＲＣ）接続を確立し、通信を行う。
ここで、ＴＤＤ端末は、ＴＤＤキャリアにより通信を行い、ＦＤＤ端末は、ＦＤＤキャアリアにより通信を行う。
基地局（ｅＮＢ）がキャリア・アグリゲーションを実行するように移動端末に対して指示する際、キャリア・アグリゲーション制御情報を移動端末に送信し、キャリア・アグリゲーションによりキャリアを増加することを移動端末に指示する。
新しく増加したキャリアはダウンリンクＦＤＤキャリアであってもよいし、ダウンリンクＴＤＤキャリアであってもよい。
ステップＳ１０１において、移動端末が基地局から送信される、ダウンリンク・キャリア・アグリゲーションの対象キャリアとするキャリア識別子と対象キャリアの無線リソースの配置情報とを含むキャリア・アグリゲーション制御情報を受信する。
実際の応用で、対象キャリアのキャリア識別子と対象キャリアの無線リソースの配置情報とは多種の方式で移動端末に送信できる。
【００１７】
例えば、対象キャリアのキャリア識別子と対象キャリアの無線リソースの配置情報とをＲＲＣ層制御シグナリングに載せる場合、現在の３ＧＰＰ  ３６．３３１内のＲＲＣ制御シグナリングフォーマットで作成される対応する制御シグナリングは、対象キャリアの周波数点・帯域幅・物理混合自動再送要求指示チャンネル（ｐｈｙｓｉｃａｌ  ＨＡＲＱ  ｉｎｄｉｃａｔｏｒ  ｃｈａｎｎｅｌ，ＰＨＩＣＨ）配置、システムフレーム番号（対象キャリアと移動端末の現在のキャリアとがフレーム同期になった場合、システムフレーム番号を含まなくてもよい）・モニタリング開始フレーム（設定されたモニタリング時間間隔を使用する場合、モニタリング開始フレーム情報を含まなくてもよい）、および無線リソースの配置情報を含んでもよい。
もう一つの例において、ＲＲＣ制御シグナリングは、対象キャリアのシリアル番号、モニタリング開始フレームと無線リソースの配置情報とを含んでもよい。
ここで、無線リソースの配置情報はダウンリンク共用チャンネル配置、アップリンク制御チャンネル配置、アップリンク共用チャンネル配置、アップリンク電力制御、チャンネル条件フィードバック報告配置、アンテナ配置等の情報を含む。
以上はあくまでも例示することに過ぎず、実施する際に、他のシグナリングフォーマットで対象キャリアのキャリア識別子と対象キャリアの無線リソースの配置情報とを移動端末に送信してもよいし、本発明は上述した例に限定されるものではない。
【００１８】
同時にｅＮＢが移動端末にキャリア・アグリゲーション制御情報を送信した後、規定の時間帯で対象キャリア（ダウンリンクＦＤＤキャリアまたはＴＤＤキャリア）においてこの移動端末をスケジューリングする。
即ち、対象キャリアのダウンリンク制御チャンネルにおいて、システム情報無線ネットワーク一時識別子（ｓｙｓｔｅｍ  ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ，  ＳＩ−ＲＮＴＩ）、ページング無線ネットワーク一時識別子（ｐａｇｉｎｇ−Ｒａｄｉｏ  Ｎｅｔｗｏｒｋ  Ｔｅｍｐｏｒａｒｙ  Ｉｄｅｎｔｉｆｉｅｒ，ＰＩ−ＲＮＴＩ）、および移動端末に対するセル無線ネットワーク一時識別子（Ｃｅｌｌ−Ｒａｄｉｏ  Ｎｅｔｗｏｒｋ  Ｔｅｍｐｏｒａｒｙ  Ｉｄｅｎｔｉｆｉｅｒ，  Ｃ−ＲＮＴＩ）を送信する。
ダウンリンク・キャリア・アグリゲーションの対象キャリアとするキャリアは一切変更する必要がなく、完全にこのキャリア自体のモードとｅＮＢからのスケジューリング指示とにより、対応するデータを載せる。
即ち、対象キャリアがＦＤＤキャリアである場合、ダウンリンク・キャリア・アグリゲーションに用いられたこのＦＤＤキャリアは、自体に載せられた対応するデータの送信先はＴＤＤ端末であるかＦＤＤ端末であるかは分からない。
同様に、対象キャリアがＴＤＤキャリアである場合、ダウンリンク・キャリア・アグリゲーションに用いられたこのＴＤＤキャリアは、それ自体に載せられた対応するデータの送信先がＴＤＤ端末であるかＦＤＤ端末であるかは分からない。
【００１９】
ステップＳ１０２において、移動端末は、受信されたキャリア識別子と無線リソースの配置情報とに基づき、対象キャリアを確定し、さらに、対象キャリアのダウンリンク制御チャンネルをモニタリングする。
【００２０】
移動端末が顕示的な指示方式と暗示的な指示方式との２種によりモニタリングを開始できる。
【００２１】
［方式その一  顕示的な指示方式］
基地局から移動端末に送信されるキャリア・アグリゲーション制御情報にモニタリング開始の指示情報がさらに含まれる。
移動端末は、受信されたモニタリング開始の指示情報に基づき、モニタリング開始タイミングとなった際に対象キャリアのダウンリンク制御チャンネルのモニタリングを起動することを確定する。
ここで、モニタリング開始の指示情報はモニタリング時間間隔を指示する情報であってもよい。
即ち、移動端末に、キャリア・アグリゲーション制御情報を受信してからのＸミリ秒間に至った後にモニタリングを起動することを指示する。
或いは、明確にモニタリング開始フレームを指示してもよい。
モニタリング開始フレームに対応する時点で対象キャリアのダウンリンク制御チャンネルのモニタリングを起動することを移動端末に指示する。
【００２２】
［方式その二  暗示的な指示方式］
モニタリングの時間間隔は基地局と移動端末との間で事前に設定する。
移動端末は基地局から送信されるキャリア・アグリゲーション制御情報を受信した後、基地局と事前に設定されたモニタリング時間間隔が至ったと確定された際に対象キャリアのダウンリンク制御チャンネルをモニタリングし始める。
【００２３】
ステップＳ１０３において、移動端末が対象キャリアのダウンリンク制御チャンネルに載せられた、自端末のＣ−ＲＮＴＩに対応するダウンリンク制御情報を解析する。
一方、ＳＩ−ＲＮＴＩとＰＩ−ＲＮＴＩとに対応するダウンリンク制御情報に対しては解析しない。
これは移動端末が対象キャリアをセカンダリーキャリアとして使用されることを確保するためである。
【００２４】
ステップＳ１０４において、移動端末は、解析されたＣ−ＲＮＴＩのダウンリンク制御情報に基づき、ダウンリンク共有チャンネルから基地局から自端末へ送信されるダウンリンクデータを取得する。
【００２５】
本発明の上述実施形態に係るキャリア・アグリゲーションの方法によれば、対象キャリアの無線リソースの配置情報が変更された場合、基地局は、さらに、変更された後の無線リソースの配置情報を移動端末に通知し、移動端末が変更された後の無線リソース配置によりデータを正しく受信できる。
移動端末に通知される対象キャリアの変更後の無線リソースの配置情報もＲＲＣ制御シグナリングに載せることができる。
【００２６】
基地局が移動端末に対象キャリアのキャリア・アグリゲーションの解除を要求する場合、対象キャリアのキャリア識別子を含むキャリア・アグリゲーションの定解除指示情報を移動端末に送信すればよく、このキャリア・アグリゲーションの解除指示情報は、さらに、ＲＲＣ制御シグナリングに載せられ、或いは他の方式で移動端末に送信されてもよい。
移動端末は、基地局から送信される、キャリア・アグリゲーションの解除指示情報を受信した後に、対象キャリアのダウンリンク制御チャンネルのモニタリングを停止する。
【００２７】
同じ発明思想に基づき、本発明の実施形態に係る基地局の構造は、図２に示すように、移動端末に対して、ダウンリンク動作キャリア・アグリゲーション対象キャリアとするキャリアの識別子と対象キャリアの無線リソースの配置情報とを含むキャリア・アグリゲーション制御情報を送信するキャリア・アグリゲーション機能手段２１を有する。
【００２８】
一実施形態において、上述基地局は、さらに、対象キャリアのダウンリンク制御チャンネルに移動端末のＣ−ＲＮＴＩのダウンリンク制御情報をのせる、およびダウンリンク共有チャンネルに移動端末に送信されるダウンリンクデータを載せるスケジューリング手段２２を有する。
【００２９】
一実施形態において、キャリア・アグリゲーション機能手段２１は、さらに、対象キャリアの無線リソースの配置情報が変更された場合、変更後の無線リソースの配置情報を移動端末に通知する。
【００３０】
一実施形態において、キャリア・アグリゲーション機能手段２１は、さらに、対象キャリアのキャリア識別子を含むキャリア・アグリゲーションの解除指示情報を移動端末に送信し、対象キャリアのダウンリンク制御チャンネルのモニタリングを停止することを移動端末に指示し、さらに、キャリア・アグリゲーションの解除通知をスケジューリング手段２２に送信する。
【００３１】
スケジューリング手段２２は、また、キャリア・アグリゲーション機能手段２１から送信されるキャリア・アグリゲーションの解除通知を受信し、対象キャリアのダウンリンク制御チャンネルに移動端末のＣ−ＲＮＴＩのダウンリンク制御情報を載せることを停止する。
【００３２】
同じ発明思想に基づき、本発明の実施形態に係る移動端末は構造が図３に示すように、基地局と通信を確立する接続確立手段３１と、基地局から送信される、ダウンリンク動作キャリア・アグリゲーションの対象キャリアとするキャリア識別子と対象キャリアの無線リソースの配置情報とを含むキャリア・アグリゲーション制御情報を受信する受信手段３２と、キャリアの識別子と無線リソースの配置情報とに基づき、対象キャリアを確定するキャリア・アグリゲーション手段３３とを備える。
【００３３】
一実施形態において、キャリア・アグリゲーション手段３３は、さらに、対象キャリアのダウンリンク制御チャンネルをモニタリングし、自端末のＣ−ＲＮＴＩに対するダウンリンク制御情報を解析し、さらに、解析されたＣ−ＲＮＴＩのダウンリンク制御情報に基づき、ダウンリンク共有チャンネルから、基地局から自端末へ送信されるダウンリンクデータを取得する。
【００３４】
一実施形態において、受信手段３２は、さらに、基地局から送信される、対象キャリアが変更された後の無線リソースの配置情報を受信し、キャリア・アグリゲーション手段３３に転送する。
【００３５】
キャリア・アグリゲーション手段３３は、また、キャリア識別子と変更された後の無線リソースの配置情報とに基づき対象キャリアのダウンリンク制御チャンネルをモニタリングする。
【００３６】
一実施形態において、受信手段３２は、また、基地局から送信される、対象キャリアのキャリア識別子を含むキャリア・アグリゲーション設定解除指示情報を受信し、キャリア・アグリゲーション手段３３に転送し、キャリア・アグリゲーション手段３３は、また、キャリア・アグリゲーション設定解除指示情報を受信した後、対象キャリアのダウンリンク制御チャンネルのモニタリングを停止する。
【００３７】
同じ発明思想に基づき、本発明の実施形態に係るキャリア・アグリゲーションのシステムは基地局と移動端末とを備え、基地局は、接続が確立された移動端末に、ダウンリンク・キャリア・アグリゲーションの対象キャリアとするキャリア識別子と対象キャリアの無線リソースの配置情報とを含むキャリア・アグリゲーション制御情報を送信し、移動端末は、基地局から送信されるキャリア・アグリゲーション制御情報を受信し、キャリアの識別子と無線リソースの配置情報とに基づき、対象キャリアを確定する。
【００３８】
一実施形態において、基地局は、さらに、対象キャリアのダウンリンク制御チャンネルに移動端末のＣ−ＲＮＴＩのダウンリンク制御情報を載せ、さらに、ダウンリンク共有チャンネルに移動端末に送信されるダウンリンクデータを載せ、移動端末は、さらに、対象キャリアのダウンリンク制御チャンネルをモニタリングし、自端末のＣ−ＲＮＴＩに対するダウンリンク制御情報を解析し、さらに、解析されたＣ−ＲＮＴＩのダウンリンク制御情報に基づきダウンリンク共有チャンネルから、基地局から自端末へ送信されるダウンリンクデータを取得する。
【００３９】
本発明において、基地局がキャリア・アグリゲーション操作を行うために移動端末を通知する際、ダウンリンク・キャリア・アグリゲーションの対象キャリアとするキャリア識別子と対象キャリアの無線リソースの配置情報とを含むキャリア・アグリゲーション制御情報をＴＤＤ端末またはＦＤＤ端末に送信する。
また、基地局がダウンリンクＴＤＤ対象キャリアまたはＦＤＤ対象キャリアにおいて、このキャリア自体の動作モードでデータを載せる。
移動端末が受信されたキャリア識別子と無線リソースの配置情報とに基づき対象キャリアを確定する。
上述方法によれば、対象キャリアがＴＤＤキャリアであるか、または、ＦＤＤキャリアであるかを区別する必要がなく、さらに、移動端末がＴＤＤ端末であるか、または、ＦＤＤ端末であるかも区別する必要がなく、同一モードに基づくキャリア・アグリゲーションおよび異なるモードに基づくキャリア・アグリゲーションを全て実現できる。
【００４０】
当業者であれば、本発明の技術的思想の範囲内において、本発明に対し種種の変更・改変を行うことができる。
そのような変更・改変は、本発明の請求の範囲およびその均等の範囲に属するので、つまり、本発明は、そのような変更・改変も意図しているということである。
【図１】
0005553902.tif 000002
【図２】
0005553902.tif 000003
【図３】
0005553902.tif 000004